(57)【要約】【課題】  コンパクト化した状態で外部機器との間でデータの授受を行うことができ、取扱性を良好なものとして利便性に優れた携帯端末装置を提供する。【解決手段】  携帯電話機Ｐ１が、表面１０ａ側に操作部１１を備えた操作側筐体１Ａと、表面２０ａ側にＬＣＤ２１を備えた表示側筐体２Ａと、操作側筐体１Ａと表示側筐体２Ａとを互いの厚さ方向に重ね合わせて折り畳み可能なように連結するヒンジ部３Ａと、外部の電子機器に装着されてこの電子機器との間でデータの授受を行うカード部４と、を備えるようにして、カード部４を、操作側筐体１Ａの裏面１０ｂ側に、折り畳み時にも出没可能なように設けるようにした。【選択図】 図１
2005295073.tif 000002
【特許請求の範囲】
【請求項１】
装置本体をなす第１筐体と、表面側に情報表示部を備える第２筐体と、前記第１筐体と前記第２筐体とを互いの厚さ方向に重ね合わせて折り畳み可能なように連結するヒンジ部と、外部機器との間でデータの授受を行うカード型デバイスとしてのカード部と、を備え、
前記カード部が、前記第１筐体あるいは前記第２筐体に、折り畳み時にも突出可能なように設けられていることを特徴とする携帯端末装置。
【請求項２】
前記第１筐体が、表面側に操作部を備えるとともに、前記カード部が、前記第１筐体の裏面側あるいは前記第２筐体の裏面側に、該筐体の幅方向に沿って延びる軸線回りに相対回動可能に連結されていることを特徴とする請求項１に記載の携帯端末装置。
【請求項３】
前記カード部が、表面側に操作部を備えるとともに、該カード部が、前記第１筐体の表面側に、該筐体の幅方向に沿って延びる軸線回りに相対回動可能に連結されていることを特徴とする請求項１に記載の携帯端末装置。
【請求項４】
前記ヒンジ部が、前記第１筐体と前記第２筐体とを、前記第１筐体の幅方向に沿って延びる第１軸線回りに相対回動可能に、且つ前記第１軸線と略平行して前記第２筐体の幅方向に沿って延びる第２軸線回りに相対回動可能に、相互に連結して、前記第２筐体を前記第１筐体に対して３６０°まで回動可能とする二重ヒンジ装置とされていることを特徴とする請求項１〜３の何れかに記載の携帯端末装置。
【請求項５】
前記ヒンジ部が、前記第１筐体と前記第２筐体とを、互いの厚さ方向に沿って延びる軸線回りに相対回動可能に連結する一軸ヒンジ装置とされていることを特徴とする請求項１〜３の何れかに記載の携帯端末装置。
【請求項６】
前記ヒンジ部が、前記第１筐体と前記第２筐体とを、前記第１筐体の幅方向に沿って延びる第１軸線回りに相対回動可能に、前記第１軸線と略直交して前記第２筐体の長さ方向に沿って延びる第２軸線回りに相対回動可能に、且つ該第２軸線を前記第２筐体ととともに前記第１軸線回りに相対回動可能に、相互に連結して、前記第２筐体の前記第１軸線回りへの回動を、該第２筐体の前記第２軸線回りにおける回動角度が所定である場合にのみ許容するとともに、前記第２筐体の前記第２軸線回りへの回動を、該第２筐体の前記第１軸線回りにおける回動角度が所定である場合にのみ許容する、二軸ヒンジ装置とされていることを特徴とする請求項１〜３の何れかに記載の携帯端末装置。
【請求項７】
前記カード部が、前記外部機器と接続される接続端子を備え、該外部機器に装着されてデータの授受を行う装着式のカード型デバイスとされていることを特徴とする請求項１〜６の何れかに記載の携帯端末装置。
【請求項８】
前記カード部の不使用時に前記接続端子を保護するための、弾性体からなる端子カバーが設けられていることを特徴とする請求項７に記載の携帯端末装置。
【請求項９】
前記カード部が、前記外部機器との間で無線通信によりデータの授受を行う非接触式のカード型デバイスとされていることを特徴とする請求項１〜６の何れかに記載の携帯端末装置。
【請求項１０】
前記カード部の使用時に、前記情報表示部に表示される画像の上下が切替可能とされていることを特徴とする請求項１〜９の何れかに記載の携帯端末装置。
【発明の詳細な説明】
【技術分野】
【０００１】
本発明は、例えばパーソナルコンピュータ等といった外部機器との間で、データの授受を行うカード型デバイスを備えた、携帯電話機・ＰＨＳ等の携帯端末装置に関するものである。
【背景技術】
【０００２】
携帯電話機やＰＨＳ等の普及に伴い、パーソナルコンピュータやＰＤＡ（Personal Digital Assistance）等の外部機器に携帯電話機を接続して移動式端末を構成し、外出先等においてもデータ通信が行われるようになっている。これまでは、外部機器のスロットにカード型デバイスを装着して、携帯電話機とはケーブルを介してデータの授受を行うのが一般的であったが、近年、カード型デバイスを一体に備えて取扱性を向上させた携帯電話機が、しだいに普及しつつある。
【０００３】
こうした携帯電話機の一例を、図１３に示す。この携帯電話機１００は、平面視略矩形状をなす筐体に、押圧可能な各種操作キーが複数配設されてなる操作部１０１と、ＬＣＤ等からなる情報表示部１０２とを有し、操作部１０１を覆う開閉蓋をカード部１０４として用いる、フリップ式の携帯電話機である。カード部１０４は、ＣＦ（コンパクトフラッシュ）規格やＰＣＭ−ＣＩＡ規格等に準拠したＩ／Ｆ（インターフェイス）としての機能を有する、カード型デバイスである。この携帯電話機１００を、ノート型のパーソナルコンピュータＣ等の外部機器に接続する際には、カード部１０４を回動・突出させて、スロットＣｓにこのカード部１０４を挿入して装着する。こうして、パーソナルコンピュータＣと携帯電話機１００とによって移動式端末が構成され、パーソナルコンピュータＣと公衆網との間で無線によるデータの送受信が行えるようになる。
【０００４】
このように、フリップ式携帯電話機の開閉蓋とカード型デバイスとを兼用したものは、特許文献１においても開示されている。その他にも、例えば特許文献２において開示されているように、携帯電話機本体の裏面側にカード型デバイスを回転可能に取り付けたものも、知られている。
【特許文献１】特開２０００−２０９３１７号公報
【特許文献２】特開２００１−１９７１８１号公報
【発明の開示】
【発明が解決しようとする課題】
【０００５】
こうした構成の携帯電話機においては、操作部と情報表示部とが長さ方向に連なった一体構造の筐体をなしているため、持ち運び時や外部機器との接続時においては突出部分が大きくなり、取扱性が良好なものではなかった。そのため、スペース的に制約がある場所では、手軽にデータ通信を行うことが困難であり、ユーザーにとっては不便であった。
【０００６】
本発明は上記事情に鑑みてなされたもので、コンパクト化した状態で外部機器との間でデータの授受を行うことができ、取扱性を良好なものとして利便性に優れた携帯端末装置を提供することを目的とする。
【課題を解決するための手段】
【０００７】
本発明に係る携帯端末装置は、装置本体をなす第１筐体と、表面側に情報表示部を備える第２筐体と、前記第１筐体と前記第２筐体とを互いの厚さ方向に重ね合わせて折り畳み可能なように連結するヒンジ部と、外部機器との間でデータの授受を行うカード型デバイスとしてのカード部と、を備え、前記カード部が、前記第１筐体あるいは前記第２筐体に、折り畳み時にも突出可能なように設けられていることを特徴とする。
【０００８】
このように、携帯端末装置を折り畳み式として、折り畳み時にもカード部を突出可能としているので、携帯端末装置の全長を短くしてコンパクト化した状態で、外部機器との間でデータの授受を行うことができる。
【０００９】
また、前記第１筐体が、表面側に操作部を備えるとともに、前記カード部が、前記第１筐体の裏面側あるいは前記第２筐体の裏面側に、該筐体の幅方向に沿って延びる軸線回りに相対回動可能に連結されていることを特徴とする。
【００１０】
このように、第１筐体の裏面側あるいは第２筐体の裏面側に、カード部を回動可能に連結しているので、カード部の不使用時には、第１筐体の裏面側あるいは第２筐体の裏面側に収納しておき、使用時には回動させて引き出し、第１筐体あるいは第２筐体から突出させることができる。
【００１１】
更に、前記カード部が、表面側に操作部を備えるとともに、該カード部が、前記第１筐体の表面側に、該筐体の幅方向に沿って延びる軸線回りに相対回動可能に連結されていることを特徴とする。
【００１２】
このように、カード部の表面側に操作部を有するようにしているため、例えば外部機器への装着時には操作部が露出しないようにでき、データ通信時に操作部を誤操作してしまうようなおそれを無くすことができる。
【００１３】
また、前記ヒンジ部が、前記第１筐体と前記第２筐体とを、前記第１筐体の幅方向に沿って延びる第１軸線回りに相対回動可能に、且つ前記第１軸線と略平行に前記第２筐体の幅方向に沿って延びる第２軸線回りに相対回動可能に、相互に連結して、前記第２筐体を前記第１筐体に対して３６０°まで回動可能とする二重ヒンジ装置とされていることを特徴とする。
【００１４】
このような二重ヒンジ装置を備えて、第２筐体を第１筐体に対して厚さ方向に３６０°まで回動可能としているので、携行時には、操作部と情報表示部とを対向させて閉じた状態として折り畳み、通常の使用時には展開し、更に外部機器との接続時には、第２筐体を反転させて第１筐体の裏面側へと折り畳むことができる。そのため、簡易な構成で、情報表示部の向きを多様に調整することができる。
【００１５】
更に、前記ヒンジ部が、前記第１筐体と前記第２筐体とを、互いの厚さ方向に沿って延びる軸線回りに相対回動可能に連結する一軸ヒンジ装置とされていることを特徴とする。
【００１６】
このような一軸ヒンジ装置を備えて、第１筐体と第２筐体とを互いの幅方向に相対回動可能としているので、簡易な構成で、情報表示部を常時外側に向けておくことができる。また、第１筐体と第２筐体との連結位置を特に視認しなくとも、手探り等によって展開及び折り畳みを容易に行うことができる。
【００１７】
更に、前記ヒンジ部が、前記第１筐体と前記第２筐体とを、前記第１筐体の幅方向に沿って延びる第１軸線回りに相対回動可能に、前記第１軸線と略直交して前記第２筐体の長さ方向に沿って延びる第２軸線回りに相対回動可能に、且つ該第２軸線を前記第２筐体ととともに前記第１軸線回りに相対回動可能に、相互に連結して、前記第２筐体の前記第１軸線回りへの回動を、該第２筐体の前記第２軸線回りにおける回動角度が所定である場合にのみ許容するとともに、前記第２筐体の前記第２軸線回りへの回動を、該第２筐体の前記第１軸線回りにおける回動角度が所定である場合にのみ許容する、二軸ヒンジ装置とされていることを特徴とする。
【００１８】
このような二軸ヒンジ装置を備えて、第１筐体と第２筐体とを、互いに直交する二本の軸線、つまり第１軸線及び第２軸線の回りに各々相対回動可能としているので、外部機器との接続時において、情報表示部の向きを更に多様に調整することができる。
【００１９】
また、例えば第２筐体を第２軸線回りに１８０°回動可能に設定すれば、第２筐体の表裏を反転させて、情報表示部の向きを逆にした状態で折り畳むこともできる。
【００２０】
更に、第２筐体の第１軸線回りへの回動と第２軸線回りへの回動とを、各々連動させるようにしているので、第２筐体の向きが所定となった場合にのみ折り畳みが可能となり、折り畳み時における操作部や情報表示部の損傷等を的確に防止することができる。
【００２１】
更に、前記カード部が、前記外部機器と接続される接続端子を備え、該外部機器に装着されてデータの授受を行う接続式のカード型デバイスとされていることを特徴とする。
【００２２】
カード部をこのような接続式のカード型デバイスとしているので、携帯端末装置を外部機器に一体的に接続させることができ、コンパクトな移動式端末を容易に構成することができる。
【００２３】
更に、前記カード部の不使用時に前記接続端子を保護するための、弾性体からなる端子カバーが設けられていることを特徴とする。
【００２４】
このように、弾性体からなる端子カバーによって接続端子を保護するようにしているので、水や塵埃等が接続端子に侵入することを的確に防止することができる。
【００２５】
更に、前記カード部が、前記外部機器との間で無線通信によりデータの授受を行う非接触式のカード型デバイスとされていることを特徴とする。
【００２６】
カード部をこのような非接触式のカード型デバイスとしているので、外部機器への抜き差しを不要とでき、より容易にデータの授受を行うことができる。
【００２７】
更に、前記カード部の使用時に、前記情報表示部に表示される画像の上下が切替可能とされていることを特徴とする。
【００２８】
このように画像の上下を切替可能としているので、カード部の使用時つまりデータ通信時に、ユーザーが視認し易い向きとすることができる。
【発明の効果】
【００２９】
本発明に係る携帯端末装置においては、上記の如き構成を採用しているので、コンパクト化した状態で外部機器との間でデータの授受を行うことができ、また外部機器と接続する際においても突出部分を小さくすることができるので、取扱性を良好なものとして利便性に優れた携帯端末装置を提供することができる。そのため、例えば外出先等でも手軽にデータ通信を行うことができる。
【発明を実施するための最良の形態】
【００３０】
以下、本発明の実施の形態について、図面を参照して説明する。
［第１の実施形態］
先ず、第１の実施形態について、図１〜図３を用いて説明する。
【００３１】
図１（ａ）及び（ｂ）に示すように、この携帯電話機（携帯端末装置）Ｐ１は、平面視略矩形状をなした操作側筐体（第１筐体）１Ａと、平面視略矩形状をなした表示側筐体（第２筐体）２Ａと、これら操作側筐体１Ａと表示側筐体２Ａとを相対回動可能に連結するヒンジ部としての二重ヒンジ装置（ヒンジ部）３Ａと、操作側筐体１Ａから出没可能に設けられたカード部４と、を備えた概略構成とされている。
【００３２】
操作側筐体１Ａは、装置本体をなすもので、その表面１０ａ側には、テンキー、通話キー、終話キー、スクロールキー等といった、押圧可能な各種操作キー（図示省略）が複数配設されてなる操作部１１と、マイクロフォン１２とが備えられている。また、表示側筐体２Ａの表面２０ａには、各種情報を表示するためのＬＣＤ（Liquid Crystal Display）（情報表示部）２１と、スピーカ２２とが備えられている。これら操作側筐体１Ａと表示側筐体２Ａとは、二重ヒンジ装置３Ａによって、互いの厚さ方向に重ね合わせて折り畳み可能なように連結されている。図１（ａ）に示す折り畳み時においては、図１（ｂ）に示す展開時と比較して、長さが略半分程度とコンパクトになっており、携行が容易となる。またこの場合には、操作側筐体１Ａの表面１０ａと表示側筐体２Ａの表面２０ａとが対向して閉じられた状態とされているので、携行時に操作キーを誤操作してしまう等といった不具合が解消されるとともに、ＬＣＤ２１に傷が付いたり汚れが付着する等といった不具合も解消される。
【００３３】
二重ヒンジ装置３Ａは、連結部材３１と、操作側筐体１Ａ及び表示側筐体２Ａの各々を連結部材３１に回動可能に連結する支軸３２ａ，３２ｂと、を備えた構成とされている。連結部材３１の一端部側と操作側筐体１Ａの一端部側とは、支軸３２ａによって相互に連結されており、これら操作側筐体１Ａと連結部材３１とは、操作側筐体１Ａの幅方向に沿って延びる第１軸線Ｌ１回りに相対回動可能となっている。そして、連結部材３１の他端部側と表示側筐体２Ａの一端部側とは、支軸３２ｂによって相互に連結されており、これら表示側筐体２Ａと連結部材３１とは、表示側筐体２Ａの幅方向に沿って延びる第２軸線Ｌ２回りに相対回動可能となっている。これら第１軸線Ｌ１と第２軸線Ｌ２とは、互いに略平行となるように設定されている。また連結部材３１の長さは、表示側筐体２Ａが操作側筐体１Ａに対して３６０°まで回動可能となるような長さに設定されている。
【００３４】
カード部４は、ＣＦ（コンパクトフラッシュ）規格やＰＣＭ−ＣＩＡ規格等といった各種規格に準拠したＩ／Ｆ（インターフェイス）としての機能を有する、装着式のカード型デバイスである。すなわち、ノート型のパーソナルコンピュータやＰＤＡ等といった外部の電子機器（外部機器）に装着されて、この電子機器との間でデータの授受を行うものである。このカード部４は、平面視略矩形状をなした薄板状をなしており、その先端部４３には外部機器と電気的に接続される接続端子（図１、図２においては図示省略）が設けられており、基端部側には連結端部４１が形成されている。この連結端部４１は、操作側筐体１Ａの裏面１０ｂ側における他端部側に、支軸４２によって連結されており、これによりカード部４は、操作側筐体１Ａの幅方向に沿って延びる第３軸線（軸線）Ｌ３回りに略１８０°まで回動可能となっている。すなわち、カード部４の不使用時には操作側筐体１Ａの裏面１０ｂ側に収納しておき、使用時には回動させて引き出し、操作側筐体１Ａから突出させることができる。
【００３５】
また、操作側筐体１Ａの裏面１０ｂ側には、ゴム等の弾性体からなる端子カバーｖが取り付けられている。この端子カバーｖは、カード部４の収納時つまり不使用時には、先端部４３と弾性的に当接して、接続端子を保護するようになっている。そのため、カード部４の不使用時に、水や塵埃等が接続端子に侵入することが、的確に防止される。
【００３６】
なおここでは、カード部４を、操作側筐体１Ａに対して略１８０°まで回動可能としているが、連結位置を適宜変更することによって、略２７０°まで回動可能な構成としてもよい。
【００３７】
この携帯電話機Ｐ１の通常の使用時、つまり、通話を行ったり電子メールやインターネット接続サービス等を利用する際においては、図１（ｂ）に示すように、表示側筐体２Ａの他端部側を、操作側筐体１Ａに対して第１軸線Ｌ１回りに略１８０°回動させて、折り畳まれた状態から展開する。なお、操作側筐体１Ａ及び表示側筐体２Ａをともに連結部材３１に対して略９０°づつ回動させて、展開するようにしてもよい。こうすることでユーザーは、ＬＣＤ２１を見ながら操作部１１を操作して、電話番号の入力・選択、電子メールの文章作成、あるいはインターネット接続等を、適宜行うことができる。
【００３８】
そして、カード部４の使用時、つまり、この携帯電話機Ｐ１を外部機器に接続する際には、図２（ａ）に示すように、カード部４を回動・突出させるとともに、表示側筐体２Ａを、操作側筐体１Ａの裏面１０ｂ側へと更に回動させる。そして図２（ｂ）に示すように、表示側筐体２Ａを３６０°まで回動させて、カード部４が引き出された後の操作側筐体１Ａの裏面１０ｂに表示側筐体２Ａの裏面２０ｂを対向させた状態として、折り畳む。このように、表示側筐体２Ａを反転させて折り畳んだ状態においては、展開時に比べて長さを略半分程度とコンパクトにしながら、ＬＣＤ２１が視認可能となる。なお、図２（ｃ）に示すように、カード部４を適宜回動させて、ＬＣＤ２１が見易くなるようにその向きを適宜調節することもできる。
【００３９】
こうしておいて、図３に示すように、外部機器に接続する。ここでは、ラップトップ型のパーソナルコンピュータＣを外部機器として例示しており、スロットＣｓにカード部４を挿入して装着する。こうして、カード部４の接続端子ｔとスロットＣｓ内の接続端子（図示省略）とが電気的に接続されて、パーソナルコンピュータＣと携帯電話機Ｐ１とによって移動式端末が構成され、パーソナルコンピュータＣと公衆網との間で無線によるデータの送受信が行えるようになる。
【００４０】
この接続時においてＬＣＤ２１は、展開時と上下が逆向きになって、パーソナルコンピュータＣの側を向いている。つまり、展開時においてはスピーカ２２側が上であったが、接続時においてはスピーカ２２側が下となっているので、このままでは表示される画像も下向きとなって、ユーザーには見難いものとなってしまう。そのため、この携帯電話機Ｐ１には、カード部４の突出時つまり使用時に、ＬＣＤ２１に表示される画像の上下を切り替える機能が備えられている。図３に示すように画像を切替可能とすることで、ユーザーが容易に視認できる向きとすることができる。なお、この切替は、自動で行われるものであっても、手動により行うものであってもよい。
【００４１】
ＬＣＤ２１には、電波の状況、データの送受信状態、あるいはバッテリーの残量等といった各種情報が適宜表示される。このとき、ＬＣＤ２１はパーソナルコンピュータＣの側を向いているので、ユーザーは、パーソナルコンピュータＣのディスプレイから若干視線を移動させるだけで、ＬＣＤ２１に表示される各種情報を視認することができる。すなわち、パーソナルコンピュータＣの情報と携帯電話機Ｐ１の情報との両者を確認しながら、的確にデータ通信を行うことができる。
【００４２】
本実施形態に係る携帯電話機Ｐ１においては、装置本体をなす操作側筐体１Ａと、表面２０ａ側にＬＣＤ２１を備える表示側筐体２Ａと、操作側筐体１Ａと表示側筐体２Ａとを互いの厚さ方向に重ね合わせて折り畳み可能なように連結するヒンジ部と、外部機器との間でデータの授受を行うカード型デバイスとしてのカード部４と、を備え、カード部４を操作側筐体１Ａ側に、折り畳み時にも突出可能なように設けている。このように、携帯電話機Ｐ１を折り畳み式として、折り畳み時にもカード部４を突出可能としているので、携帯電話機Ｐ１の全長を短くしてコンパクト化した状態で、パーソナルコンピュータＣ等の外部機器に装着でき、外部機器との間でデータの授受を行うことができる。そのため、取扱性を良好なものとできるとともに、突出部分を小さくすることができるので、スペース的に制約がある場所であっても手軽にデータの授受を行うことができる。
【００４３】
また、操作側筐体１Ａの裏面１０ｂ側に、カード部４を回動可能に連結しているので、カード部４の不使用時には操作側筐体１Ａの裏面側に収納しておき、使用時には回動させて引き出し、操作側筐体１Ａから突出させることができる。そのため、簡易な構成として、カード部４の出し入れを容易に行うことができ、また収納時における取扱性を良好なものとすることができる。
【００４４】
更に、操作側筐体１Ａと表示側筐体２Ａとを、操作側筐体１Ａの幅方向に沿って延びる第１軸線Ｌ１回りに相対回動可能に、且つ第１軸線Ｌ１と略平行に表示側筐体２Ａの幅方向に沿って延びる第２軸線Ｌ２回りに相対回動可能に、相互に連結して、表示側筐体２Ａを操作側筐体１Ａに対して３６０°まで回動可能とする二重ヒンジ装置３Ａを、ヒンジ部として用いるようにしている。このような二重ヒンジ装置３Ａを備えて、表示側筐体２Ａを操作側筐体１Ａに対して厚さ方向に３６０°まで回動可能としているので、携行時には、操作部１１とＬＣＤ２１とを対向させて閉じた状態として折り畳み、通常の使用時には展開し、更に外部機器との接続時には、表示側筐体２Ａを反転させて操作側筐体１Ａの裏面１０ｂ側へと折り畳むことができる。そのため、簡易な構成で、パーソナルコンピュータＣ等の外部機器との接続時等においても、ＬＣＤ２１の向きを多様に調整することができるので、電波状況等の情報を常時的確に視認することができる。
【００４５】
更に、カード部４が、パーソナルコンピュータＣ等の外部機器と接続される接続端子ｔを備え、この外部機器に装着されてデータの授受を行う接続式のカード型デバイスとしている。そのため、携帯電話機Ｐ１の全長を短くしてコンパクト化した状態で外部機器に装着することができ、突出部分を小さくすることができるので、スペース的に制約がある場所であっても手軽にデータ通信を行うことができる。
【００４６】
更に、カード部４の不使用時に接続端子ｔを保護するための、弾性体からなる端子カバーｖを設けるようにしているので、水や塵埃等が接続端子ｔに侵入することを、的確に防止することができる。
【００４７】
更に、カード部４の使用時に、ＬＣＤ２１に表示される画像の上下を切替可能としているので、カード部４の使用時にユーザーが視認し易い向きとすることができる。
【００４８】
なおここでは、カード部４を、操作側筐体１Ａの裏面１０ｂ側に出没可能に設けるようにしているが、折り畳み時においても出没可能な構成を採用し得るのであれば、表示側筐体２Ａの裏面２０ｂ側に設けるようにしてもよい。
【００４９】
こうした携帯電話機Ｐ１の変形例（他の例）について、図４〜図６を用いて説明する。本変形例においては、上記携帯電話機Ｐ１における構成要素と共通する構成要素については、同一の符号を付して、その詳しい説明は省略することとする。
【００５０】
図４（ａ），（ｂ）及び図５（ａ），（ｂ）に示すように、この携帯電話機（携帯端末装置）Ｐ１ｂは、平面視略矩形状をなした本体側筐体（第１筐体）１Ａ２と、平面視略矩形状をなした表示側筐体（第２筐体）２Ａと、これら本体側筐体１Ａ２と表示側筐体２Ａとを相対回動可能に連結するヒンジ部としての二重ヒンジ装置（ヒンジ部）３Ａと、本体側筐体１Ａ２から出没可能に設けられたカード部４Ｂと、を備えた概略構成とされている。
【００５１】
本体側筐体１Ａ２は、装置本体をなすものであり、また、表示側筐体２Ａの表面２０ａには、各種情報を表示するためのＬＣＤ２１と、スピーカ２２とが備えられている。これら本体側筐体１Ａ２と表示側筐体２Ａとは、二重ヒンジ装置３Ａによって、互いの厚さ方向に重ね合わせて折り畳み可能なように連結されている。図４（ａ）、（ｂ）に示す折り畳み時においては、図５（ａ）、（ｂ）に示す展開時と比較して、長さが略半分程度とコンパクトになっており、携行が容易となる。
【００５２】
カード部４Ｂは、カード部４と同様の機能を有する装着式のカード型デバイスであって、その先端部４３には外部機器と電気的に接続される接続端子（図示省略）が設けられており、基端部側には連結端部４１が形成されている。連結端部４１は、本体側筐体１Ａ２の表面１０ａ側における他端部側、つまり二重ヒンジ装置３Ａとは反対側に、支軸４２によって連結されている。これによりカード部４Ｂは、本体側筐体１Ａ２の幅方向に沿って延びる第３軸線Ｌ３回りに回動可能とされている。すなわち、カード部４Ｂの不使用時には本体側筐体１Ａ２の表面１０ａ側に収納しておき、使用時には回動させて引き出し、本体側筐体１Ａから突出させることができる。なお、このカード部４Ｂは、図６に示すように、折り畳み時にもＬＣＤ２１が向いている側に突出可能なように、略２７０°まで回動可能に設定されている。
【００５３】
また、カード部４Ｂの表面４０ａ側には、テンキー、通話キー、終話キー、スクロールキー等といった、押圧可能な各種操作キーが複数配設されてなる操作部１１と、マイクロフォン１２とが備えられている。すなわち、カード部４Ｂの収納時には、このカード部４Ｂは、本体側筐体１Ａ２の表面１０ａ側において、携帯電話機Ｐ１ｂの操作部として機能する。
【００５４】
この携帯電話機Ｐ１ｂの通常の使用時においては、図５（ａ）、（ｂ）に示すように、表示側筐体２Ａの他端部側を、本体側筐体１Ａ２に対して第１軸線Ｌ１回りに略１８０°回動させて、折り畳まれた状態から展開する。なお、本体側筐体１Ａ２及び表示側筐体２Ａをともに連結部材３１に対して略９０°づつ回動させて、展開するようにしてもよい。こうすることでユーザーは、ＬＣＤ２１を見ながら操作部１１を操作して、電話番号の入力・選択、電子メールの文章作成、あるいはインターネット接続等を適宜行うことができる。
【００５５】
そして、カード部４Ｂの使用時、つまり、この携帯電話機Ｐ１ｂを外部機器に接続する際には、図６に示すように、カード部４Ｂを回動・突出させるとともに、表示側筐体２Ａを、本体側筐体１Ａ２の裏面１０ｂ側へと更に３６０°まで回動させて、本体側筐体１Ａ２の裏面１０ｂに表示側筐体２Ａの裏面２０ｂを対向させた状態として、折り畳む。このように、表示側筐体２Ａを反転させて折り畳んだ状態においては、展開時に比べて長さを略半分程度とコンパクトにしながら、ＬＣＤ２１が視認可能となる。なお、カード部４Ｂを適宜回動させて、ＬＣＤ２１が見易くなるように、その向きを適宜調節することもできる。
【００５６】
こうしておいて、上記図３おいて示したと同様に、外部機器に接続する。なおこのとき、上記携帯電話機Ｐ１におけると同様、ＬＣＤ２１に表示される画像の上下が切り替えられる。
【００５７】
この携帯電話機Ｐ１ｂにおいては、カード部４Ｂが、表面４０ａ側に操作部１１を備えるとともに、本体側筐体１Ａ２の表面１０ａ側に、カード部４Ｂを相対回動可能に連結している。このように、カード部４Ｂの表面４０ａ側に操作部１１を有するようにしているため、例えば外部機器への装着時には操作部１１ごとスロット内に挿入されて、操作部１１が露出しないようにでき、データ通信時に操作部１１を誤操作してしまうようなおそれを無くすことができる。
【００５８】
また、カード部４Ｂを本体側筐体１Ａ２の表面１０ａ側に取り付けているので、表示側筐体２Ａの３６０°回動時において、本体側筐体１Ａ２の裏面１０ｂと表示側筐体２Ａの裏面２０ｂ側とをほぼ隙間なく密接させることができ、これによりがたつき等を抑制することができる。
［第２の実施形態］
次に、第２の実施形態について、図７〜図９を用いて説明する。なお、本実施形態においては、上記第１の実施形態における構成要素と共通する構成要素については、同一の符号を付して、その詳しい説明は省略することとする。
【００５９】
図７（ａ），（ｂ）及び図８に示すように、この携帯電話機（携帯端末装置）Ｐ２は、操作側筐体（第１筐体）１Ｂと、表示側筐体（第２筐体）２Ｂと、これら操作側筐体１Ｂと表示側筐体２Ｂとを連結するヒンジ部としての一軸ヒンジ装置（ヒンジ部）３Ｂと、操作側筐体１Ｂから出没可能に設けられたカード部４と、を備えた概略構成とされている。
【００６０】
操作側筐体１Ｂの表面１０ａ側には、各種操作キーが複数配設されてなる操作部１１と、マイクロフォン１２とが備えられており、また、表示側筐体２Ｂの表面２０ａには、各種情報を表示するためのＬＣＤ２１と、スピーカ２２とが備えられている。これら操作側筐体１Ｂと表示側筐体２Ｂとは、互いの一端部側に設けられた一軸ヒンジ装置３Ｂによって、互いの厚さ方向に沿って延びる軸線Ｌ４回りに相対回動可能に、つまり互いの厚さ方向に重ね合わせて折り畳み可能なように、相互に連結されている。図７（ａ）に示す折り畳み時においては、図７（ｂ）に示す展開時と比較して、長さが略半分程度とコンパクトになっており、携行が容易となる。またこの場合には、操作側筐体１Ｂの表面１０ａと表示側筐体２Ｂの裏面２０ｂと（この図においては共に図示せず）が対向して閉じられた状態とされているので、ＬＣＤ２１に表示される情報を見ることができるとともに、携行時に操作キーを誤操作してしまう等といった不具合が解消される。
【００６１】
そして、この携帯電話機Ｐ２の通常の使用時においては、表示側筐体２Ｂの他端部側を操作側筐体１Ｂに対して軸線Ｌ４回りに略１８０°回動させて、図７（ｂ）に示すように、折り畳まれた状態から展開する。
【００６２】
図８に示すように、カード部４の連結端部４１は、操作側筐体１Ｂの裏面１０ｂ側における他端部側に、支軸４２によって連結されており、これによりカード部４は、操作側筐体１Ｂの幅方向に沿って延びる第３軸線Ｌ３回りに回動可能とされている。なお、このカード部４は、折り畳み時にもＬＣＤ２１が向いている側に突出可能なように、略２７０°まで回動可能に設定されている。また、操作側筐体１Ｂの裏面１０ｂ側には、カード部４の不使用時に接続端子ｔ（図９においてのみ図示）を保護するための、弾性体からなる端子カバーｖが取り付けられている。
【００６３】
そして、この携帯電話機Ｐ２を外部機器に接続する場合には、図９に示すように、表示側筐体２Ｂを操作側筐体１Ｂに重ねて折り畳むとともに、カード部４を回動・突出させる。このように折り畳んだ状態においては、展開時に比べて長さが略半分程度とコンパクトになる。なお、カード部４を適宜回動させて、ＬＣＤ２１が見易くなるように、その向きを適宜調節することもできる。
【００６４】
こうしておいて、上記図３おいて示したと同様に、外部機器に接続する。なおこのとき、図９に示すように、上記携帯電話機Ｐ１におけると同様、ＬＣＤ２１に表示される画像の上下が切り替えられる。
【００６５】
本実施形態に係る携帯電話機Ｐ２においては、操作側筐体１Ｂと表示側筐体２Ｂとを、互いの厚さ方向に沿って延びる軸線Ｌ４回りに相対回動可能に連結する一軸ヒンジ装置３Ｂを、ヒンジ部として用いるようにしている。このような一軸ヒンジ装置３Ｂを備えて、操作側筐体１Ｂと表示側筐体２Ｂとを互いの幅方向に相対回動可能としているので、簡易な構成で、ＬＣＤ２１を常時外側に向けておくことができる。そのため、折り畳んだ状態でもＬＣＤ２１に表示される情報を見ることができ、より利便性に優れたものとすることができる。
【００６６】
また、操作側筐体１Ｂと表示側筐体２Ｂとの連結位置を特に視認しなくとも、手探り等によって展開及び折り畳みを容易に行うことができるので、例えば鞄やポケット内に入れた状態あるいは暗がりの状態であっても、的確に使用することができる。
［第３の実施形態］
次に、第３の実施形態について、図１０〜図１２を用いて説明する。なお、本実施形態においては、上記第１の実施形態における構成要素と共通する構成要素については、同一の符号を付して、その詳しい説明は省略することとする。
【００６７】
図１０（ａ），（ｂ）及び図１１に示すように、この携帯電話機（携帯端末装置）Ｐ３は、操作側筐体（第１筐体）１Ｃと、表示側筐体（第２筐体）２Ｃと、これら操作側筐体１Ｃと表示側筐体２Ｃとを連結するヒンジ部としての二軸ヒンジ装置（ヒンジ部）３Ｃと、操作側筐体１Ｃから出没可能に設けられたカード部４と、を備えた概略構成とされている。
【００６８】
操作側筐体１Ｃの表面１０ａ側には、各種操作キーが複数配設されてなる操作部１１と、マイクロフォン１２とが備えられており、また、表示側筐体２Ｃの表面２０ａには、各種情報を表示するためのＬＣＤ２１と、スピーカ２２とが備えられている。これら操作側筐体１Ｃと表示側筐体２Ｃとは、二軸ヒンジ装置３Ｃによって、操作側筐体１Ｃの幅方向に沿って延びる第１軸線Ｌ１回りに相対回動可能に、つまり互いの厚さ方向に重ね合わせて折り畳み可能なように、相互に連結されている。図１０（ａ）に示す折り畳み時においては、図１０（ｂ）に示す展開時と比較して、長さが略半分程度とコンパクトになっており、携行が容易となる。またこの場合には、操作側筐体１Ｃの表面１０ａと表示側筐体２Ｃの表面２０ａと（この図においては共に図示せず）が対向して閉じられた状態とされているので、携行時に操作キーを誤操作してしまう等といった不具合が解消されるとともに、ＬＣＤ２１に傷が付いたり汚れが付着する等といった不具合も解消される。
【００６９】
そして、この携帯電話機Ｐ３の通常の使用時においては、表示側筐体２Ｃの他端部側を操作側筐体１Ｃに対して第１軸線Ｌ１回りに回動させて、図１０（ｂ）に示すように、折り畳まれた状態から展開する。
【００７０】
また、これら操作側筐体１Ｃと表示側筐体２Ｃとは、二軸ヒンジ装置３Ｃによって、表示側筐体２Ｃの長さ方向に沿って延びる第２軸線Ｌ５回りに、少なくとも１８０°まで相対回動可能、つまり表裏を反転させることが可能とされている。そして、表示側筐体２Ｃの表裏が反転された状態でも、折り畳みが可能とされている。なお、この第２軸線Ｌ５は、表示側筐体２Ｃの幅方向における略中心位置において、この表示側筐体２Ｃの長さ方向に沿って延びており、表示側筐体２Ｃととともに第１軸線Ｌ１回りに相対回動可能とされている。
【００７１】
更に、この二軸ヒンジ装置３Ｃによって、表示側筐体２Ｃの第１軸線Ｌ１回りへの回動は、この表示側筐体２Ｃの第２軸線Ｌ５回りにおける回動角度が所定である場合にのみ許容されるとともに、表示側筐体２Ｃの第２軸線Ｌ５回りへの回動は、この表示側筐体２Ｃの第１軸線Ｌ１回りにおける回動角度が所定である場合にのみ許容されるようになっている。具体的には、図１１に示すように、表示側筐体２Ｃの最大展開状態、つまり第１軸線Ｌ１回りの回動角度がθとなった状態においてのみ、この表示側筐体２Ｃは第２軸線Ｌ５回りに回動可能となる。このとき、表示側筐体２Ｃは第２軸線Ｌ５回りに１８０°まで回動可能、つまり表裏を反転させることが可能となっている。そして、表示側筐体２Ｃの第２軸線Ｌ５回りの回動角度が０°又は１８０°となった状態、つまり表示側筐体２Ｃの幅方向が第１軸線Ｌ１の延びる方向と略平行となった状態（図中実線で示す状態）においてのみ、この表示側筐体２Ｃは第１軸線Ｌ１回りに回動可能となる。すなわち、表示側筐体２Ｃがこの回動角度とならない限り、折り畳みは不可能とされているので、折り畳み時における操作部１１やＬＣＤ２１の損傷等を的確に防止することができる。
【００７２】
また図１１に示すように、カード部４の連結端部４１は、操作側筐体１Ｃの裏面１０ｂ側における他端部側に、支軸４２によって連結されており、これによりカード部４は、操作側筐体１Ｃの幅方向に沿って延びる第３軸線Ｌ３回りに回動可能とされている。なお、このカード部４は、折り畳み時にもＬＣＤ２１が向いている側に突出可能なように、略２７０°まで回動可能に設定されている。また、操作側筐体１Ｃの裏面１０ｂ側には、カード部４の不使用時に接続端子ｔ（図１２においてのみ図示）を保護するための、弾性体からなる端子カバーｖが取り付けられている。
【００７３】
そして、この携帯電話機Ｐ３を外部機器に接続する場合には、図１２に示すように、表示側筐体２Ｃを反転させてＬＣＤ２１を外側に向けた状態として、操作側筐体１Ｃに重ねて折り畳むとともに、カード部４を回動・突出させる。このように折り畳んだ状態においては、展開時に比べて長さが略半分程度とコンパクトになる。なお、カード部４を適宜回動させて、ＬＣＤ２１が見易くなるように、その向きを適宜調節することもできる。
【００７４】
こうしておいて、上記図３おいて示したと同様に、外部機器に接続する。なおこのとき、図１２に示すように、上記携帯電話機Ｐ１におけると同様、ＬＣＤ２１に表示される画像の上下が切り替えられる。
【００７５】
本実施形態に係る携帯電話機Ｐ３においては、操作側筐体１Ｃと表示側筐体２Ｃとを、操作側筐体１Ｃの幅方向に沿って延びる第１軸線Ｌ１回りに相対回動可能に、第１軸線Ｌ１と略直交して表示側筐体２Ｃの長さ方向に沿って延びる第２軸線Ｌ５回りに相対回動可能に、且つこの第２軸線Ｌ５を表示側筐体２Ｃととともに第１軸線Ｌ１回りに相対回動可能に、相互に連結して、表示側筐体２Ｃの第１軸線Ｌ１回りへの回動を、この表示側筐体２Ｃの第２軸線Ｌ５回りにおける回動角度が所定である場合にのみ許容するとともに、表示側筐体２Ｃの第２軸線Ｌ５回りへの回動を、この表示側筐体２Ｃの第１軸線Ｌ１回りにおける回動角度が所定である場合にのみ許容する二軸ヒンジ装置３Ｃを、ヒンジ部として用いるようにしている。このような二軸ヒンジ装置３Ｃを備えて、操作側筐体１Ｃと表示側筐体２Ｃとを、互いに直交する二本の軸線、つまり第１軸線Ｌ１及び第２軸線Ｌ５の回りに各々相対回動可能としているので、外部機器との接続時において、ＬＣＤ２１の向きを更に多様に調整することができ、視認性を更に良好なものとすることができる。
【００７６】
また、表示側筐体２Ｃを第２軸線Ｌ５回りに１８０°回動可能に設定しているので、表示側筐体２Ｃを反転させて、ＬＣＤ２１の向きを逆にして外側を向けた状態として折り畳むことができ、コンパクト化しても情報を的確に視認することができる。
【００７７】
更に、表示側筐体２Ｃの、第１軸線Ｌ１回りへの回動と第２軸線Ｌ５回りへの回動とを、各々連動させるようにしているので、表示側筐体２Ｃの向きが所定となった場合にのみ折り畳みが可能となり、折り畳み時における操作部１１やＬＣＤ２１の損傷等を的確に防止することができ、携帯電話機Ｐ３の耐久性や動作時の安定性を高いものとすることができる。
【００７８】
ここでは、表示側筐体２Ｃの最大展開状態（回動角度θ）においてのみ第２軸線Ｌ５回りに回動可能としているが、こうした回動角度は適宜変更が可能であり、例えば略９０°に設定しても差し支えない。
【００７９】
なお、上記各実施形態においては、カード部を、装着式のカード型デバイスとした場合を例にとって説明したが、これに限定されるものではない。例えばＦｅｌｉｃａ（登録商標）等のように、外部機器との間で近距離の無線通信によりデータの授受を行う、非接触式のカード型デバイスとすることも可能である。こうすれば、携帯端末装置をコンパクト化した状態で、しかも外部機器への抜き差しを不要として、データの授受を行うことができる。また、カード部を収納した状態でこのような近距離無線通信を行うと、装置本体からのノイズ等によってカード部のアンテナ感度が悪影響を受けるおそれがある場合には、カード部を回動・突出させることで、こうした悪影響を回避することができる。
【００８０】
このように、カード部を収納状態で用いるか突出させて用いるかを、状況に応じて適宜選択することができるので、効率的な無線通信を提供することができる。
【００８１】
そのため、外部機器との間でより容易に且つ的確にデータの授受を行うことができるので、例えばプリペイド型の電子マネーサービスや電子チケット等に、好適に適用させることが可能となる。
【図面の簡単な説明】
【００８２】
【図１】本発明の第１の実施形態に係る携帯端末装置を示す図であって、（ａ）は折り畳み時を、（ｂ）は展開時を示す側面図である。
【図２】同携帯端末装置のカード部を突出させている状態を（ａ）〜（ｃ）の順に示す側面図である。
【図３】同携帯端末装置を外部機器に接続する状態を示す概略斜視図である。
【図４】本発明の第１の実施形態の他の例に係る携帯端末装置を示す図であって、（ａ）は折り畳み時における正面図、（ｂ）は折り畳み時の側面図である。
【図５】同携帯端末装置を示す図であって、（ａ）は展開時における正面図、（ｂ）は展開時における側面図である。
【図６】同携帯端末装置のカード部を突出させている状態を示す側面図である。
【図７】本発明の第２の実施形態に係る携帯端末装置を示す図であって、（ａ）は折り畳み時における正面図、（ｂ）は展開時における正面図である。
【図８】同携帯端末装置の展開時における側面図である。
【図９】同携帯端末装置の斜視図である。
【図１０】本発明の第３の実施形態に係る携帯端末装置を示す図であって、（ａ）は折り畳み時における正面図、（ｂ）は展開時における正面図である。
【図１１】同携帯端末装置の展開時における側面図である。
【図１２】同携帯端末装置の斜視図である。
【図１３】従来の携帯端末装置を外部機器に接続する状態の一例を示す概略斜視図である。
【符号の説明】
【００８３】
Ｐ１，Ｐ１ｂ，Ｐ２，Ｐ３  携帯電話機（携帯端末装置）
１Ａ，１Ｂ，１Ｃ  操作側筐体（第１筐体）
１Ａ２  本体側筐体（第１筐体）
１０ａ  表面
１０ｂ  裏面
１１  操作部
２Ａ，２Ｂ，２Ｃ  表示側筐体（第２筐体）
２０ａ  表面
２０ｂ  裏面
２１  ＬＣＤ（情報表示部）
３Ａ  二重ヒンジ装置（ヒンジ部）
３１  連結部材
３２ａ，３２ｂ  支軸
３Ｂ  一軸ヒンジ装置（ヒンジ部）
３Ｃ  二軸ヒンジ装置（ヒンジ部）
４，４Ｂ  カード部
ｔ  接続端子
ｖ  端子カバー
Ｃ  パーソナルコンピュータ（外部機器）
Ｌ１  第１軸線
Ｌ２  第２軸線
Ｌ３  第３軸線（軸線）
Ｌ４  軸線
Ｌ５  第２軸線
【図１】
2005295073.tif 000003
【図２】
2005295073.tif 000004
【図３】
2005295073.tif 000005
【図４】
2005295073.tif 000006
【図５】
2005295073.tif 000007
【図６】
2005295073.tif 000008
【図７】
2005295073.tif 000009
【図８】
2005295073.tif 000010
【図９】
2005295073.tif 000011
【図１０】
2005295073.tif 000012
【図１１】
2005295073.tif 000013
【図１２】
2005295073.tif 000014
【図１３】
2005295073.tif 000015